(57)【要約】      （修正有）【課題】血漿製剤の解凍過程におけるバッグ内容物の撹拌により解凍速度を飛躍的に向上させることができる解凍装置を提供する。【解決手段】解凍装置は、凍結物ＺのバッグＸを加熱する第１ヒータ１および第２ヒータ２と、バッグＸを支持する支持手段３とを備える。第１ヒータ１は、ガイド溝５に進退自在に支持されておりバッグＸに対して接近しながら降下し、自重の進行方向の分力を付勢力として作用させる。第２ヒータ２は、水平方向に延びる支持軸２０を介して支持され、バッグＸの上側および下側へ交互に押圧力を作用させる。バッグＸに作用する過大な押圧力は、第１ヒータ１が後退することで緩和され、第２ヒータ２が凍結状態のバッグＸを押圧する場合であってもバッグＸを損傷する虞が低減される。【選択図】図１
2014151140.tif 000002
【特許請求の範囲】
【請求項１】
バッグに入った液体の凍結物を解凍させる解凍装置であって、
前記バッグを支持する支持手段と、
前記支持手段を介して対向配置される第１ヒータおよび第２ヒータと、
前記第２ヒータに向かって漸次降下する軌道を有し、前記軌道に前記第１ヒータを進退自在に支持したガイド機構と、
前記第２ヒータを駆動して、前記第１ヒータに対する前記第２ヒータの対向角度を所定方向に所定周期で傾斜させる駆動手段と、
を備えることを特徴とする解凍装置。
【請求項２】
請求項１記載の解凍装置において、
前記ガイド機構は、当該解凍装置のフレームに前記第２ヒータに向かって漸次降下する軌道として配置されたスライドガイドであって、
前記第１ヒータは、前記スライドガイドに進退自在に支持されることを特徴とする解凍装置。
【請求項３】
請求項１記載の解凍装置において、
前記ガイド機構は、当該解凍装置のフレームに固定端が支持されると共に自由端が前記第２ヒータに向かって漸次降下する軌道を有するリンク部材であって、
前記第１ヒータは、前記リンク部材の自由端に支持されることを特徴とする解凍装置。
【請求項４】
請求項１乃至３のうちいずれか１項記載の解凍装置において、
前記ガイド機構は、前記第１ヒータが前記バッグから離間した位置で固定する固定手段を備えることを特徴とする解凍装置。
【請求項５】
請求項１乃至４のうちいずれか１項記載の解凍装置において、
前記支持手段は、前記バッグが収納可能な袋状の収納容器と、該収納容器をその開口部を上側として支持する支持フレームとを有し、
前記支持フレームが、当該解凍装置の前記第１ヒータに支持されることを特徴とする解凍装置。
【発明の詳細な説明】
【技術分野】
【０００１】
本発明は、バッグに入った液体の凍結物を解凍させる解凍装置に関する。
【背景技術】
【０００２】
従来、この種の解凍装置としては、下記特許文献１の図４に示すように、２つの加熱プレート６４,６６の間にバッグを吊り下げて挟持し、モータ８４の駆動力により（揺動クランク７２、スプリング・ダシュポットモジュール７４を介して）一方の加熱プレート６４を振動させるものが知られている。
【先行技術文献】
【特許文献】
【０００３】
【特許文献１】米国特許第７０１１７９７号明細書
【発明の概要】
【発明が解決しようとする課題】
【０００４】
しかしながら、従来の解凍装置では、バッグと加熱プレートとの密着性は保たれるものの、解凍過程におけるバッグ内容物の流動性が乏しく解凍速度を向上させることは困難であった。
【０００５】
すなわち，バッグ内容物全体のうち加熱プレートに接するバッグ表面付近の内容物は速やかに温度上昇して溶解し液体となるが、時間経過とともにバッグ表面温度が加熱プレート温度に近づくことで両者の温度差が小さくなり、結果としてバッグへの熱の伝導量が減少し解凍効率が低下していく。
【０００６】
このためバッグ中心付近に残留した凍結物とバッグ表面付近との間に存在する液体を撹拌して流動せしめ、バッグ内の温度交換を行うことで熱の伝導量の減少を防いで解凍速度を向上させる方法がある。
【０００７】
例えば、積極的に一方の可動プレートの振動ストロークを大きくして揺動動作させることが考えられる。しかしながら、バッグ内容物の一部に未解凍部分が残った状態で、可動プレートの振動ストロークを大きくすると、可動プレートの衝撃でバッグが損傷する虞があるため、バッグ内容物の解凍を確認してから可動プレートの振動ストロークを大きくする必要があった。
【０００８】
以上の事情に鑑みて、本発明は、バッグ内容物が凍結した状態ではバッグに過大な力が作用することを緩和してバッグが損傷する虞を低減し、バッグ内容物が解凍される過程ではバッグ内容物の撹拌を促進して解凍速度を飛躍的に向上させることができる解凍装置を提供することを目的とする。
【課題を解決するための手段】
【０００９】
第１発明の解凍装置は、
バッグに入った液体の凍結物を解凍させる解凍装置であって、
前記バッグを支持する支持手段と、
前記支持手段を介して対向配置される第１ヒータおよび第２ヒータと、
前記第２ヒータに向かって漸次降下する軌道を有し、前記軌道に前記第１ヒータを進退自在に支持したガイド機構と、
前記第２ヒータを駆動して、前記第１ヒータに対する前記第２ヒータの対向角度を所定方向に所定周期で傾斜させる駆動手段と、
を備えることを特徴とする。
【００１０】
第１発明の解凍装置によれば、第１ヒータはガイド機構の軌道に従って第２ヒータに向かって漸次降下し（バッグに対して接近しながら降下し）、第１ヒータ自重の進行方向の分力が付勢力としてバッグに作用する。
【００１１】
ここで、進行方向の分力とは、例えば、第１ヒータと第２ヒータを水平方向に対向配置した場合には、ガイド機構の軌道上で発生する第１ヒータ自重の水平分力のことであり、上側に第１ヒータ、下側に第２ヒータとなるよう垂直方向に対向配置した場合には、ガイド機構の軌道上で発生する第１ヒータ自重の垂直分力のことである。
【００１２】
第１ヒータと対向配置される第２ヒータは、駆動手段により前記第１ヒータに対する対向角度が所定方向に所定周期で傾斜するよう駆動される。前記第１ヒータに対する第２ヒータ２の対向角度、傾斜方向、周期は適宜設定することが可能である。
【００１３】
本構成により、第１ヒータからバッグに付勢力が常時作用し、バッグを介して第２ヒータに作用した付勢力の反力を受けて、第１ヒータおよび第２ヒータとバッグとの密着性が向上し、第１ヒータおよび第２ヒータからバッグへの熱伝導損失が低減するため解凍速度が飛躍的に向上することとなる。
【００１４】
加えて、第２ヒータからはバッグの異なる領域に対して所定周期で押圧力が作用し、バッグ内容物が解凍するにしたがってバッグの変形が促され、解凍過程におけるバッグ内容物の撹拌が促進されて解凍速度が飛躍的に向上することとなる。
【００１５】
さらに、バッグの一部分に対して第２ヒータの押圧力を作用させた場合、軌道に対して進退自在に支持した第１ヒータが後退し、バッグに作用する過大な押圧力が緩和される。
【００１６】
したがって、第２ヒータが凍結状態のバッグを押圧する場合であっても、凍結状態のバッグの一部分に押圧力が集中して凍結状態のバッグを損傷する虞が低減される。
【００１７】
ヒータは、発熱手段を有しており、ヒータ表面をバッグ表面と接触させることでバッグ内容物を加熱する。発熱手段としては通電により発熱する電気ヒータや加熱流体を流通させる流体ヒータ等を適宜採用可能である。
【００１８】
また、バッグを支持する支持手段は、当該解凍装置のフレームに装着される形態であっても、第１ヒータに装着される形態であっても、第２ヒータに装着される形態であってもよい。
【００１９】
第２発明の解凍装置は、第１発明において、
前記ガイド機構は、当該解凍装置のフレームに前記第２ヒータに向かって漸次降下する軌道として配置されたスライドガイドであって、
前記第１ヒータは、前記スライドガイドに摺動自在に支持されることを特徴とする。
【００２０】
第２発明の解凍装置によれば、ガイド機構をスライドガイドとすることで、第１ヒータを前記第２ヒータに向かって漸次降下させ（バッグに対して接近しながら降下させ）、第１ヒータ自重の進行方向の分力が付勢力として該バッグに作用することとなる。
【００２１】
第３発明の解凍装置は、第１発明において、
前記ガイド機構は、当該解凍装置のフレームに固定端が支持されると共に自由端が前記第２ヒータに向かって漸次降下する軌道を有するリンク部材であって、
前記第１ヒータは、前記リンク部材の自由端に支持されることを特徴とする。
【００２２】
第３発明の解凍装置によれば、ガイド機構をリンク部材で構成し、第１ヒータを自由端側に支持させることで、第１ヒータを第２ヒータに向かって漸次降下させ（バッグに対して接近しながら降下させ）、第１ヒータ自重の進行方向の分力を付勢力として前記バッグに作用させることになる。
【００２３】
第４発明の解凍装置は、第１から第３発明のいずれかにおいて、
前記ガイド機構は、前記第１ヒータが前記バッグから離間した位置で固定する固定手段を備えることを特徴とする。
【００２４】
第４発明の解凍装置によれば、第１ヒータは、ガイド機構により接近しながら降下し、自重の進行方向の分力を付勢力としてバッグに作用するため、支持手段からバッグを着脱する際にも付勢力がバッグに作用してしまう。そこで、固定手段により第１ヒータをバッグから離間した位置で固定可能とすることで、バッグの当該装置への着脱を容易とする。
【００２５】
第５発明の解凍装置は、第１から第４発明のいずれかにおいて、
前記支持手段は、前記バッグが収納可能な袋状の収納容器と、前記収納容器をその開口部を上側として支持する支持フレームとを有し、
前記支持フレームが、当該解凍装置の前記第１ヒータに支持されることを特徴とする。
【００２６】
第５発明の解凍装置によれば、支持手段として、支持フレームと開口部を上側とする収納容器とを設けることで、バッグの位置決め及びバッグが破損した場合には内容物の飛散を防止すると共に、上側の開口部から収納容器内へのバッグの出し入れを容易にする。
【００２７】
加えて、支持フレームが第１ヒータに支持されて一体となることで、収納容器に収納したバッグは第１ヒータに密着状態でガイド機構に進退自在に支持されることとなる。
【００２８】
よって、第１ヒータがガイド機構の軌道に従って第２ヒータに向かって漸次降下する際、第１ヒータ自重に支持フレーム、収納容器およびバッグの各々の重量を加えた合算重量の進行方向の分力が付勢力として第２ヒータに作用し、その付勢力の反力を受けて、第１ヒータおよび第２ヒータにバッグが密着した状態となる。
【００２９】
また、支持フレームが第１ヒータに支持されて一体となることで、第２ヒータの駆動によりバッグに押圧力が作用すると、バッグおよび第１ヒータはガイド機構の軌道に従って一体的に後退動作するため、バッグと第１ヒータとの密着状態が維持される。
【００３０】
結果として、支持フレームを解凍装置のフレーム等に配置した場合と比較して、支持フレームを第１ヒータに支持した場合には、バッグに作用する第１ヒータおよび第２ヒータの密着性がさらに向上し、熱伝導損失が低減するためバッグ内容物の解凍速度が短縮することとなる。
【図面の簡単な説明】
【００３１】
【図１】本実施形態の解凍装置を示す斜視図。
【図２】図１の解凍装置の解凍初期における使用状態を示す説明図。
【図３】図１の解凍装置の解凍中期における使用状態を示す説明図。
【図４】図１の解凍装置の解凍後期における使用状態を示す説明図。
【図５】図２〜図４の各段階の状態を示す説明図。
【図６】図１の解凍装置の変更例を示す説明図。
【図７】図１の解凍装置の変更例を示す説明図。
【図８】図１の解凍装置の変更例を示す説明図。
【発明を実施するための形態】
【００３２】
図１に示すように、本実施形態の解凍装置は、バッグＸ（例えば、血漿バッグ）に入った液体Ｙ（例えば、血漿製剤）を凍結させた板状の凍結物Ｚを解凍させる解凍装置であって、水平方向に対向配置した板状の第１ヒータ１および板状の第２ヒータ２と、第１ヒータ１と第２ヒータ２との間にバッグＸを支持する支持手段３とを備える。
【００３３】
第１ヒータ１は、当該解凍装置の箱型のケーシング４（本発明のフレームに相当する）の側面に下り傾斜で上下に平行に配置された一対のガイド溝５,５（本発明のガイド機構を構成する軌道としてのスライドガイドに相当する）に起立状態を維持して支持される。
【００３４】
第１ヒータ１には、ガイド溝５に対応するように両端辺に車輪１０が設けられており、車輪１０がガイド溝５を摺動することで、第１ヒータ１が起立状態を維持してガイド溝５に沿って移動自在となっている。
【００３５】
第１ヒータ１の下端側には、固定手段としての係止片６が、軸体７に軸着されている。軸体７は、ケーシング４に支持されると共に、ケーシング４から突出して設けられたハンドル８により回動自在となっている。そして、ハンドル８を回動させることにより、係止片６が第１ヒータ１の下端を押し上げると共に押し上げた状態で一時的に固定可能となっている。
【００３６】
第２ヒータ２は、その上下方向の中間位置において水平方向に延びる支持軸２０を介してケーシング４に支持されている。
【００３７】
さらに、第２ヒータ２の下端側は、電動機Ｍ（本発明の駆動手段に相当する）の駆動軸に連結された回転体９に偏心支持された連結アーム１１の先端側に軸支持されている。電動機Ｍを駆動すると第２ヒータ２の上側および下側が第１ヒータ１側に交互に傾斜する往復動作により、第１ヒータ１に対する第２ヒータ２の対向角度を所定周期で変化させている。
【００３８】
支持手段３は、バッグＸが収納可能な袋状の収納容器３１と、収納容器３１をその開口部３２を上側として支持する支持フレーム３３とを備える。
【００３９】
収納容器３１は、透明または半透明の柔軟な樹脂製の容器であって、第１ヒータ１および第２ヒータ２の加熱および打撃などに対する耐久性を有する。また、収納容器３１は、開口部３２の両端縁に、支持フレーム３３に吊るすために吊下部３４,３４が設けられている。支持フレーム３３は、棒状の部材であって、その両端がケーシング４の側壁の上端に設けられた凹部４０,４０に係合して保持される。
【００４０】
以上が本実施形態の解凍装置の構成である。
【００４１】
次に、図１〜図５を参照して、本実施形態の解凍装置の使用方法について説明する。
【００４２】
まず、図１に示すように、バッグＸ内の凍結物Ｚの解凍を行うユーザは、収納容器３１の吊下部３４,３４を支持フレーム３３の両端に掛けて、収納容器３１と支持フレーム３３を一体化させる。
【００４３】
次いで、ユーザは、収納容器３１の開口部３２からバッグＸを挿入し、バッグＸが挿入された収納容器３１を第１ヒータ１と第２ヒータ２との間に挿入し、支持フレーム３３の両端をケーシング４の凹部４０,４０に係合させる。
【００４４】
このとき、ユーザは、予めハンドル８を回動させて、係止片６により第１ヒータ１を第２ヒータ２から後退した位置に固定させておくことで、バッグＸが挿入された収納容器３１を第１ヒータ１と第２ヒータ２との間に容易に挿入することができる。
【００４５】
また、この場合、第１ヒータ１と第２ヒータ２とが離間しているため、収納容器３１内にバッグＸを挿入する前に、空の収納容器３１を第１ヒータ１と第２ヒータ２との間に挿入して、支持フレーム３３の両端をケーシング４の凹部４０,４０に係合した後、加熱時に収納容器３１内にバッグＸを挿入するようにしてもよい。
【００４６】
次いで、ユーザは、ハンドル８を先程と逆方向に回動させて、係止片６と第１ヒータ１との係合を解除することで、第１ヒータ１の車輪１０がガイド溝５に沿って摺動し、これに伴って第１ヒータ１がバッグＸに接近しながら降下する。
【００４７】
このとき、バッグＸには、第１ヒータ１の自重の進行方向（ガイド溝５長手方向）の水平分力が持続的に作用し、バッグを介して第２ヒータに作用した付勢力の反力を受けて、第１ヒータおよび第２ヒータとバッグとの密着性が向上する。結果として、第１ヒータおよび第２ヒータからバッグへの熱伝導損失が低減する。
【００４８】
さらに、第２ヒータ２で第１ヒータ１の反対側からバッグの異なる領域に対して所定周期で交互に押圧力を作用させて押圧する際においては、バッグＸに対して第１ヒータ１を密着させた状態で、第２ヒータ２がバッグＸから完全に離間してしまうことなく追従させることで、バッグＸの内容物が解凍するにしたがってバッグＸの変形を促し、解凍過程におけるバッグＸの内容物の撹拌を促進する。これにより、第１ヒータ１と第２ヒータ２によるバッグＸの加熱を効率よく行うことができる。
【００４９】
以上が、本実施形態の解凍装置へのバッグＸの取り付け等の前処理の詳細である。
【００５０】
次に、本実施形態の解凍装置によるバッグＸの加熱による解凍処理について説明する。
【００５１】
まず、ユーザは、第１ヒータ１および第２ヒータ２に電源装置（図示省略）から通電を行い、第１ヒータ１および第２ヒータ２を加熱する。
【００５２】
次いで、ユーザは、電動機Ｍを駆動させることにより、第２ヒータ２の上側および下側が第１ヒータ１側に所定周期で交互に傾斜して接近、後退する往復動作をし、バッグＸの上側および下側に対して繰り返し押圧力を作用させる。そして、この押圧力の一部がバッグＸを介して第１ヒータに作用し、これに伴って、第１ヒータ１は第２ヒータ２に対して後退と接近を繰り返す。
【００５３】
この様子について、図２〜図５を参照して、液体Ｙが（Ａ）凍結している状態、（Ｂ）一部解凍している状態、（Ｃ）すべて解凍している状態の各状態について説明する。
【００５４】
最初に、図２を参照して、（Ａ）液体Ｙが凍結している状態について説明する。図２（ａ）は、第２ヒータ２の動作前の状態であり、図２（ｂ）は、第２ヒータ２が動作中であって、第２ヒータ２の上側がバッグＸ側に接近動作した状態を示す、図２（ｃ）は、第２ヒータ２が動作中であって、第２ヒータ２の下側がバッグＸ側に接近動作した状態を示す。なお、図２（ａ）〜（ｃ）において、収納容器３１は記載を省略する（以下、図３〜図４において同じ。）。
【００５５】
まず、図２（ａ）の第２ヒータ２の動作前の初期状態では、バッグＸに対して、第１ヒータ１自重の水平分力による付勢力ｆｍが作用し、バッグＸを介して第２ヒータ２に作用した付勢力ｆｍの反力を受けて、第１ヒータ１および第２ヒータ２とバッグＸが密着する。なお、図中付勢力ｆｍは、その水平方向成分のみを矢印で示している（以下、図２（ｂ），（ｃ）、図３および図４において同じ。）。
【００５６】
次に、電動機Ｍを駆動して第２ヒータ２を動作させた図２（ｂ）の状態では、図示上、支持軸２０が反時計回りに所定角度回転して第２ヒータ２の上側が第１ヒータ１側に傾斜してバッグＸの上側を押圧する押圧力ｆｒが作用する。これにより、バッグＸが変形量ｄ０だけ変形し、第１ヒータ１がガイド溝５に沿って後退量ｄ１だけ後退する。液体Ｙが凍結している状態では、バッグＸはほとんど変形せず、変形量ｄ０はほぼ０であるため、第１ヒータ１がガイド溝５に沿って後退量ｄ１だけ大きく後退することで、バッグＸに過大な力が作用することを緩和してバッグＸが損傷する虞を低減している。
【００５７】
なお、バッグＸの変形量ｄ０および第１ヒータ１の後退量ｄ１は、各々初期状態の位置を０としている（以下、図２（ｃ）、図３および図４において同じ）。また、図中後退量ｄ１は、その水平方向成分のみを矢印で示している（以下、図２（ｃ）、図３および図４において同じ。）。
【００５８】
図２（ｂ）の状態の状態から図２（ｃ）に示すまでの間に、図示上、支持軸２０が時計回りに所定角度回転して、一旦、図２（ａ）の初期状態を経た後、第２ヒータ２の下側が第１ヒータ１側に傾斜してバッグＸの下側を押圧する押圧力ｆｒが作用し、再び、バッグＸが変形量ｄ０だけ変形し、これにより第１ヒータ１がガイド溝５に沿って後退量ｄ１だけ後退する。
【００５９】
以下、（Ａ）液体Ｙが凍結している状態では、上記プロセスが繰り返される。この様子を図５（図５左側）に示す。なお、この（Ａ）液体Ｙが凍結している状態では、バッグＸ内に液体Ｙが存在しないため、バッグＸ内の内容物（凍結物Ｚ）の移動量Ｄは０となっている。
【００６０】
次に、図３を参照して、（Ｂ）凍結物Ｚが一部解凍している状態について説明する。図３（ａ）は、第２ヒータ２の動作前の初期状態を示す。図３（ｂ）は、図３（ａ）の状態から、第２ヒータ２の上側がバッグＸ側に接近動作した状態を示す。図３（ｃ）は、図３（ｂ）の状態から、初期状態へ戻った状態を示す。図３（ｄ）は、図３（ｃ）の状態から第２ヒータ２の下側がバッグＸ側に接近動作した状態を示す。
【００６１】
まず、図３（ａ）の状態では、図２と同様に、バッグＸに対して、第１ヒータ１自重の水平分力による付勢力ｆｍが作用し、バッグＸを介して第２ヒータ２に作用した付勢力ｆｍの反力を受けて、第１ヒータ１および第２ヒータ２とバッグＸが密着する。
【００６２】
次に、図３（ｂ）の状態では、図示上、支持軸２０が反時計回りに所定角度回転して第２ヒータ２の上側が第１ヒータ１側に傾斜してバッグＸの上側を押圧する押圧力ｆｒが作用する。このとき、バッグＸが変形量ｄ０だけ変形し、これにより第１ヒータ１がガイド溝５に沿って後退量ｄ１だけ後退するとともに、バッグ内容物の液体Ｙおよび凍結物Ｚが移動量Ｄだけ下方に移動する。特に、固体である凍結物Ｚは、下方に押し出されて大きく移動する。これにより、バッグＸの変形量ｄ０は、図２で説明した液体Ｙが凍結している状態に比して大きくなり、第１ヒータ１の後退量ｄ１は液体Ｙが凍結している状態に比して小さくなる。
【００６３】
次に、図３（ｃ）に示すように、一旦、第２ヒータ２の上側が後退し、そのまま、図３（ｄ）に示すように、図示上、支持軸２０が時計回りに所定角度回転して第２ヒータ２の下側が第１ヒータ１側に傾斜してバッグＸの下側を押圧する押圧力ｆｒが作用する。再び、バッグＸが変形量ｄ０だけ変形し、これにより第１ヒータ１がガイド溝５に沿って後退量ｄ１だけ後退するとともに、バッグ内容物の液体Ｙおよび凍結物Ｚが移動量Ｄだけ上方に移動する。特に、固体である凍結物Ｚは、上方に押し出されて大きく移動する。これにより、図３（ｂ）と同様に、バッグＸの変形量ｄ０は、図２で説明した液体Ｙが凍結している状態に比して大きくなり、第１ヒータ１の後退量ｄ１は液体Ｙが凍結している状態に比して小さくなる。
【００６４】
以下、（Ｂ）一部解凍している状態では、上記プロセスが繰り返される。この様子を図５（図５中央）に示す。
【００６５】
次に、図４を参照して、（Ｃ）凍結物Ｚがすべて解凍した状態について説明する。図４（ａ）は、第２ヒータ２の動作前の初期状態を示す。図４（ｂ）は、図４（ａ）の状態から、第２ヒータ２の上側がバッグＸ側に接近動作した状態を示す。図４（ｃ）は、図４（ｂ）の状態から第２ヒータ２の下側がバッグＸ側に接近動作した状態を示す。
【００６６】
まず、図４（ａ）の状態では、図２および図３と同様に、バッグＸに対して、第１ヒータ１自重の水平分力による付勢力ｆｍが作用し、バッグＸを介して第２ヒータ２に作用した付勢力ｆｍの反力を受けて、第１ヒータ１および第２ヒータ２とバッグＸが密着する。
【００６７】
次に、図４（ｂ）の状態では、図示上、支持軸２０が反時計回りに所定角度回転して第２ヒータ２の上側が第１ヒータ１側に傾斜してバッグＸの上側を押圧する押圧力ｆｒが作用する。このとき、バッグＸが変形量ｄ０だけ変形し、これにより第１ヒータ１がガイド溝５に沿って後退量ｄ１だけ後退する。
【００６８】
バッグＸ内の凍結物Ｚがすべて解凍して液体Ｙとなっている状態では、図３で説明した凍結物Ｚが一部解凍している状態に比してバッグＸの変形量ｄ０は大きくなり、第１ヒータ１の後退量ｄ１は図３で説明した凍結物Ｚが一部解凍している状態に比して小さくなる。
【００６９】
次に、図４（ｃ）に示すように、一旦、第２ヒータ２の上側が後退して初期状態を経た後、第２ヒータ２の下側がバッグＸの下側を押圧する押圧力ｆｒが作用する。
【００７０】
このとき、バッグ内容物の液体Ｙが移動量Ｄだけ移動する。このとき、バッグＸが変形量ｄ０だけ変形し、これにより第１ヒータ１がガイド溝５に沿って後退量ｄ１だけ後退する。これにより、図４（ｂ）と同様に、バッグＸ内の凍結物Ｚがすべて解凍して液体Ｙとなっている状態では、図３で説明した凍結物Ｚが一部解凍している状態に比してバッグＸの変形量ｄ０は大きくなり、第１ヒータ１の後退量ｄ１は図３で説明した凍結物Ｚが一部解凍している状態に比して小さくなる。
【００７１】
以下、（Ｃ）凍結物Ｚがすべて解凍した状態では、上記プロセスが繰り返される。この様子を図５（図５右側）に示す。
【００７２】
図５に示すように、本実施形態の解凍装置において、第１ヒータ１の後退量ｄ１は、バッグＸの内容物が（Ａ）凍結している状態が最も大きく、次いで（Ｂ）一部解凍している状態が続き、（Ｃ）すべて解凍している状態が最も小さくなる。すなわち、第１ヒータ１の後退量ｄ１は、（Ａ）＞（Ｂ）＞（Ｃ）となる。本実施形態の解凍装置では、特にバッグＸの内容物が（Ａ）凍結している状態、（Ｂ）一部解凍している状態において、第１ヒータ１が後退する機能を付与することで、バッグＸに過大な力が作用した際でも、バッグへの過大な力の作用を緩和してバッグＸが損傷する虞を低減している。
【００７３】
また、バッグＸの内容物が（Ａ）凍結している状態、（Ｂ）一部解凍している状態、（Ｃ）すべて解凍している状態へと解凍が進むにつれて、バッグＸの変形量ｄ０すなわちバッグＸ内容物の移動量Ｄが大きくなる。従って、バッグＸの変形量ｄ０およびバッグＸ内容物の移動量Ｄは、（Ａ）＜（Ｂ）＜（Ｃ）となる。解凍過程におけるバッグ内容物の撹拌を促進することで解凍速度を飛躍的に向上させることができる。
【００７４】
以上のことから、本実施形態の解凍装置によれば、バッグＸが損傷する虞を低減しながら、解凍速度を飛躍的に向上させることができる。  また、本実施形態の解凍装置において、ガイド機構はガイド溝５と車輪１０により構成したが、これに限定されるものではない。例えば、スライドガイドの機構は、レールなどであってもよい。
【００７５】
さらに、図６に示すように、ガイド機構として、スライドガイドの代わりに、リンク部材１５を用いてもよい。図６において、リンク部材１５は、一端側がケーシング４等に軸体１６を介して軸着された固定端となっており、他端側が第１ヒータ１に軸体１７を介して軸着された自由端となっており、自由端は、図中に矢印で示すように、バッグＸの一方の板面に対して接近しながら降下する軌道となっている。
【００７６】
なお、補足すると、図６（ａ）は、第１ヒータ１が係止片６（図示省略）により押し上げられて固定された状態を示している。図６（ｂ）は、図６（ａ）の状態から係止片６を解放することで、第１ヒータ１には、その自重による固定端側の軸体１６回りのトルクが発生している状態を示している。図６（ｃ）は、図６（ｂ）からさらに第１ヒータ１が降下しながら第２ヒータ２側に接近する様子を示している。
【００７７】
また、本実施形態では、１つのバッグＸのみを加熱する場合について説明したが、これに限定されるものではなく、複数のバッグＸを同時に加熱するようにしてもよい。例えば、図７に示すように、２つの第２ヒータ２を向かい合わせに隣接して配置し、それぞれの第２ヒータ２の下端を連結アーム１１により１つの回転体９に連結することで、向かい合わせに隣接する２つの第２ヒータ２を同時にシーソー動作させることができるように構成してもよい。
【００７８】
この場合、１つのバッグＸのみを加熱する場合と同様、他方の側の第１ヒータ１と第２ヒータ２の間にバッグＸを配置して使用する。すなわち、収納容器３１に入れたバッグＸを支持フレーム３３によりケーシング４の他方の側の凹部４０,４０に係合させて使用する。
【００７９】
かかる構成において、１つのバッグＸのみを加熱する場合は、使用しない側のハンドル８を操作して、係止片６により使用しない側の第１ヒータ１を第２ヒータ２から後退した位置に固定させておく。このとき、使用しない他方の第１ヒータ１および第２ヒータ２への通電は行わない。もっとも、ユーザの電源装置の操作により、使用しない他方の第１ヒータ１および第２ヒータ２への通電は行わないようにしてもよいが、第１ヒータ１の位置（例えば第１ヒータ１が第２ヒータ２から引き離されている位置）や第１ヒータ１と係止片６との接触を検知して、自動的に使用しない他方の第１ヒータ１および第２ヒータ２への通電を行わないようにしてもよい。
【００８０】
また、第１ヒータ１および第２ヒータ２を複数設ける場合には、並列に配置するようにしてもよい。この場合、電動機Ｍの駆動軸上に複数のクランクシャフトを設けて、これをそれぞれの第２ヒータ２の下端部に連結することで、並列に配置された複数の第２ヒータ２を同時にシーソー動作させる。
【００８１】
さらに、本実施形態では第１ヒータ１と第２ヒータ２とを水平方向に対向配置した場合について説明したが、これに限定されるものではなく、第１ヒータ１と第２ヒータ２とを、第１ヒータ１が上側となるように垂直方向に対向配置してもよい。この場合、第１ヒータ１に働く付勢力は、ガイド機構の軌道上で発生する第１ヒータ１自重の垂直分力となる。
【００８２】
また、本実施形態において、支持手段３は、解凍装置のケーシング４に凹部４０,４０に係合させることにより、バッグＸをケーシング４に装着するものであるが、これに限定されるものではない。例えば、図８に示すように、第１ヒータ１に装着される形態であってもよい。この場合、支持手段３を第１ヒータ１上面のガイド溝１８に対応する支持フレーム３５とすることで、支持フレーム３５を第１ヒータ１の上部に固定または着脱自在に装着して一体化することができる。また、第１ヒータ１にバッグＸを装着する代わりに、第２ヒータ２に、同様の支持フレーム３５を用いてバッグＸを装着するようにしてもよい。
【００８３】
さらに、本実施形態の解凍装置において、第２ヒータ２は、駆動手段として電動機Ｍによりクランクシャフト等を介して動作させる場合について説明したが、これに限定されるものではなく、駆動手段としてはアクチュエータなどを用いて、直接第２ヒータ２を動作させてもよい。
【００８４】
また、第１ヒータ１に対する第２ヒータ２の対向角度、傾斜方向、周期は、本実施形態に限定されるものではなく適宜設定可能である。また、第２ヒータ２を水平支持する支持軸２０に加えて、その幅方向の中間位置において垂直方向に支持する垂直支持軸を設けてケーシング４に支持することで、駆動手段により第２ヒータ２を水平軸周りと垂直軸周りの傾斜の組み合わせて所定方向に所定周期で傾斜させることが可能である。
【符号の説明】
【００８５】
１…第１ヒータ、２…第２ヒータ、３…支持手段、４…ケーシング（当該解凍装置のフレーム）、５…ガイド溝（スライドガイド（ガイド機構））、６…係止片（固定手段）、８…ハンドル、９…回転体、１０…車輪、１１…連結アーム、１５…リンク部材、１６…軸体（固定端）、１７…軸体（自由端）、１８…ガイド溝、２０…支持軸、３１…収納容器、３２…開口部、３３，３５…支持フレーム、Ｘ…バッグ、Ｙ…液体、Ｚ…凍結物。
【図１】
2014151140.tif 000003
【図２】
2014151140.tif 000004
【図３】
2014151140.tif 000005
【図４】
2014151140.tif 000006
【図５】
2014151140.tif 000007
【図６】
2014151140.tif 000008
【図７】
2014151140.tif 000009
【図８】
2014151140.tif 000010